(57)【要約】  本技術は、選局情報や時刻情報を効果的に伝送することができるようにする送信装置、送信方法、受信装置、及び、受信方法に関する。送信装置は、サービスの選局を行うための選局情報を取得し、送信側と受信側で同期をとるための時刻情報を取得し、プリアンブルとデータ部からなる物理層フレームとして、プリアンブルの直後であってデータ部の先頭に、選局情報及び時刻情報のうちの少なくとも一方の情報を含む特定の情報を配置した物理層フレームを生成し、物理層フレームを、デジタル放送信号として送信する。本技術は、例えば、IPパケットの放送に適用することができる。
2016098601.tif 000002
【特許請求の範囲】
【請求項１】
サービスの選局を行うための選局情報を取得する選局情報取得部と、
送信側と受信側で同期をとるための時刻情報を取得する時刻情報取得部と、
プリアンブルとデータ部からなる物理層フレームとして、前記プリアンブルの直後であって前記データ部の先頭に、前記選局情報及び前記時刻情報のうちの少なくとも一方の情報を含む特定の情報を配置した前記物理層フレームを生成する物理層フレーム生成部と、
前記物理層フレームを、デジタル放送信号として送信する送信部と
を備える送信装置。
【請求項２】
前記特定の情報は、IP（Internet Protocol）パケットを伝送する伝送パケットのペイロードに配置されるL2シグナリング情報に含まれ、
前記伝送パケットは、前記物理層フレームの最初のBB（Baseband）フレームにおける最初の伝送パケットとして伝送される
請求項１に記載の送信装置。
【請求項３】
前記特定の情報は、IPパケットを伝送する伝送パケットの拡張ヘッダに配置されるL2シグナリング情報に含まれ、
前記伝送パケットは、前記物理層フレームの最初のBBフレームにおける最初の伝送パケットとして伝送される
請求項１に記載の送信装置。
【請求項４】
前記特定の情報は、BBフレームの拡張ヘッダに配置されるL1シグナリング情報に含まれ、
前記BBフレームは、前記物理層フレームの最初のBBフレームとして伝送される
請求項１に記載の送信装置。
【請求項５】
前記選局情報は、LLS（Low Layer Signaling）シグナリング情報であり、
前記時刻情報は、NTP（Network Time Protocol）である
請求項１に記載の送信装置。
【請求項６】
送信装置の送信方法において、
前記送信装置が、
サービスの選局を行うための選局情報を取得し、
送信側と受信側で同期をとるための時刻情報を取得し、
プリアンブルとデータ部からなる物理層フレームとして、前記プリアンブルの直後であって前記データ部の先頭に、前記選局情報及び前記時刻情報のうちの少なくとも一方の情報を含む特定の情報を配置した前記物理層フレームを生成し、
前記物理層フレームを、デジタル放送信号として送信する
ステップを含む送信方法。
【請求項７】
プリアンブルとデータ部からなる物理層フレームとして、前記プリアンブルの直後であって前記データ部の先頭に、サービスの選局を行うための選局情報、及び、送信側と受信側で同期をとるための時刻情報のうちの少なくとも一方の情報を含む特定の情報を配置した前記物理層フレームを含むデジタル放送信号を受信する受信部と、
前記物理層フレームを復調して、前記プリアンブルの直後であって前記データ部の先頭に配置された前記選局情報及び前記時刻情報のうちの少なくとも一方の情報を含む前記特定の情報を取得する復調部と、
前記特定の情報に基づいて、所定の処理を行う処理部と
を備える受信装置。
【請求項８】
前記特定の情報は、IPパケットを伝送する伝送パケットのペイロードに配置されるL2シグナリング情報に含まれ、
前記伝送パケットは、前記物理層フレームの最初のBBフレームにおける最初の伝送パケットとして伝送される
請求項７に記載の受信装置。
【請求項９】
前記特定の情報は、IPパケットを伝送する伝送パケットの拡張ヘッダに配置されるL2シグナリング情報に含まれ、
前記伝送パケットは、前記物理層フレームの最初のBBフレームにおける最初の伝送パケットとして伝送される
請求項７に記載の受信装置。
【請求項１０】
前記特定の情報は、BBフレームの拡張ヘッダに配置されるL1シグナリング情報に含まれ、
前記BBフレームは、前記物理層フレームの最初のBBフレームとして伝送される
請求項７に記載の受信装置。
【請求項１１】
前記処理部は、前記選局情報に基づいて、前記サービスの選局を行う
請求項７に記載の受信装置。
【請求項１２】
前記処理部は、前記時刻情報に基づいて、前記サービスを構成する映像と音声の同期をとる
請求項７に記載の受信装置。
【請求項１３】
前記選局情報は、LLSシグナリング情報であり、
前記時刻情報は、NTPである
請求項７に記載の受信装置。
【請求項１４】
受信装置の受信方法において、
前記受信装置が、
プリアンブルとデータ部からなる物理層フレームとして、前記プリアンブルの直後であって前記データ部の先頭に、サービスの選局を行うための選局情報、及び、送信側と受信側で同期をとるための時刻情報のうちの少なくとも一方の情報を含む特定の情報を配置した前記物理層フレームを含むデジタル放送信号を受信し、
前記物理層フレームを復調して、前記プリアンブルの直後であって前記データ部の先頭に配置された前記選局情報及び前記時刻情報のうちの少なくとも一方の情報を含む前記特定の情報を取得し、
前記特定の情報に基づいて、所定の処理を行う
ステップを含む受信方法。
【発明の詳細な説明】
【技術分野】
【０００１】
本技術は、送信装置、送信方法、受信装置、及び、受信方法に関し、特に、選局情報や時刻情報を効果的に伝送することができるようにした送信装置、送信方法、受信装置、及び、受信方法に関する。
【背景技術】
【０００２】
例えば、次世代地上放送規格の１つであるATSC（Advanced Television Systems Committee）3.0規格では、データ伝送に、TS（Transport Stream）パケットではなく、UDP/IP、すなわち、UDP（User Datagram Protocol）パケットを含むIP（Internet Protocol）パケットを用いることが決定されている。ATSC3.0規格以外の放送方式でも、将来的に、IPパケットを用いることが期待されている。【０００３】
また、ATSC3.0規格等の放送方式においては、サービス（例えばテレビ番組）の選局を行うための選局情報と、送信側と受信側で同期をとるための時刻情報を伝送する必要がある（例えば非特許文献１参照）。
【先行技術文献】
【非特許文献】
【０００４】
【非特許文献１】「ARIB STD-B44  2.0版」、一般社団法人 電波産業会
【発明の概要】
【発明が解決しようとする課題】
【０００５】
ところで、ATSC3.0規格等の放送方式においては、選局情報を用いた選局処理の高速化や、精度の高い時刻情報の伝送を実現することが要請されており、そのためには、選局情報や時刻情報を効果的に伝送する必要がある。【０００６】
本技術はこのような状況に鑑みてなされたものであり、選局情報や時刻情報を効果的に伝送することができるようにするものである。
【課題を解決するための手段】
【０００７】
本技術の第１の側面の送信装置は、サービスの選局を行うための選局情報を取得する選局情報取得部と、送信側と受信側で同期をとるための時刻情報を取得する時刻情報取得部と、プリアンブルとデータ部からなる物理層フレームとして、前記プリアンブルの直後であって前記データ部の先頭に、前記選局情報及び前記時刻情報のうちの少なくとも一方の情報を含む特定の情報を配置した前記物理層フレームを生成する物理層フレーム生成部と、前記物理層フレームを、デジタル放送信号として送信する送信部とを備える送信装置である。【０００８】
本技術の第１の側面の送信装置は、独立した装置であってもよいし、１つの装置を構成している内部ブロックであってもよい。本技術の第１の側面の送信方法は、上述した本技術の第１の側面の送信装置に対応する送信方法である。【０００９】
本技術の第１の側面の送信装置、及び、送信方法においては、サービスの選局を行うための選局情報が取得され、送信側と受信側で同期をとるための時刻情報が取得され、プリアンブルとデータ部からなる物理層フレームとして、前記プリアンブルの直後であって前記データ部の先頭に、前記選局情報及び前記時刻情報のうちの少なくとも一方の情報を含む特定の情報を配置した前記物理層フレームが生成され、前記物理層フレームが、デジタル放送信号として送信される。【００１０】
本技術の第２の側面の受信装置は、プリアンブルとデータ部からなる物理層フレームとして、前記プリアンブルの直後であって前記データ部の先頭に、サービスの選局を行うための選局情報、及び、送信側と受信側で同期をとるための時刻情報のうちの少なくとも一方の情報を含む特定の情報を配置した前記物理層フレームを含むデジタル放送信号を受信する受信部と、前記物理層フレームを復調して、前記プリアンブルの直後であって前記データ部の先頭に配置された前記選局情報及び前記時刻情報のうちの少なくとも一方の情報を含む前記特定の情報を取得する復調部と、前記特定の情報に基づいて、所定の処理を行う処理部とを備える受信装置である。【００１１】
本技術の第２の側面の受信装置は、独立した装置であってもよいし、１つの装置を構成している内部ブロックであってもよい。また、本技術の第２の側面の受信方法は、上述した本技術の第２の側面の受信装置に対応する受信方法である。【００１２】
本技術の第２の側面の受信装置、及び、受信方法においては、プリアンブルとデータ部からなる物理層フレームとして、前記プリアンブルの直後であって前記データ部の先頭に、サービスの選局を行うための選局情報、及び、送信側と受信側で同期をとるための時刻情報のうちの少なくとも一方の情報を含む特定の情報を配置した前記物理層フレームを含むデジタル放送信号が受信され、前記物理層フレームを復調して、前記プリアンブルの直後であって前記データ部の先頭に配置された前記選局情報及び前記時刻情報のうちの少なくとも一方の情報を含む前記特定の情報が取得され、前記特定の情報に基づいて、所定の処理が行われる。
【発明の効果】
【００１３】
本技術の第１の側面、及び、第２の側面によれば、選局情報や時刻情報を効果的に伝送することができる。【００１４】
なお、ここに記載された効果は必ずしも限定されるものではなく、本開示中に記載されたいずれかの効果であってもよい。
【図面の簡単な説明】
【００１５】
【図１】本技術を適用した伝送システムの一実施の形態の構成を示す図である。
【図２】各レイヤのフレーム構造を示す図である。
【図３】物理層フレームごとに１つの選局情報を送出する場合における選局情報の位置と選局時間の関係を示す図である。
【図４】物理層フレームごとに２つの選局情報を送出する場合における選局情報の位置と選局時間の関係を示す図である。
【図５】物理層フレームスケジューラによる選局情報の最適な位置への配置を説明する図である。
【図６】物理層フレームにマッピングされる時刻情報の位置を示す図である。
【図７】物理層フレームスケジューラによる時刻情報の最適な位置への配置を説明する図である。
【図８】L2シグナリング伝送方式を用いた運用例１を説明する図である。
【図９】パケットタイプの例を示す図である。
【図１０】L2拡張ヘッダ伝送方式を用いた運用例２を説明する図である。
【図１１】パケットタイプの例を示す図である。
【図１２】L1拡張ヘッダ伝送方式を用いた運用例３を説明する図である。
【図１３】L1拡張ヘッダ伝送方式における拡張ヘッダの詳細な構成を説明する図である。
【図１４】L1拡張ヘッダ伝送方式における拡張ヘッダの詳細な構成を説明する図である。
【図１５】LLSシグナリングの構造を説明する図である。
【図１６】LLSヘッダに格納されるインデックス情報の例を示す図である。
【図１７】時刻情報として用いられるNTPの構成例を示す図である。
【図１８】送信装置の構成例を示す図である。
【図１９】受信装置の構成例を示す図である。
【図２０】送信処理を説明するフローチャートである。
【図２１】受信処理を説明するフローチャートである。
【図２２】コンピュータの構成例を示す図である。
【発明を実施するための形態】
【００１６】
以下、図面を参照しながら本技術の実施の形態について説明する。なお、説明は以下の順序で行うものとする。
【００１７】
１．システムの構成
２．本技術を適用したフレーム構造
３．運用例
（１）運用例１：L2シグナリング伝送方式
（２）運用例２：L2拡張ヘッダ伝送方式
（３）運用例３：L1拡張ヘッダ伝送方式
４．各装置の構成
５．各装置で実行される処理の流れ
６．コンピュータの構成
【００１８】
＜１．システムの構成＞
【００１９】
図１は、本技術を適用した伝送システムの一実施の形態の構成を示す図である。なお、システムとは、複数の装置が論理的に集合した物をいう。
【００２０】
図１において、伝送システム１は、送信装置１０と受信装置２０から構成される。
【００２１】
送信装置１０は、例えば、テレビ番組等のサービスの送信（デジタル放送やデータ伝送）を行う。すなわち、送信装置１０は、例えばテレビ番組等のサービスを構成するコンポーネントとしての映像や音声のデータなどの送信の対象である対象データのストリームを、デジタル放送信号として、伝送路３０を介して送信（伝送）する。
【００２２】
受信装置２０は、送信装置１０から伝送路３０を介して送信されてくるデジタル放送信号を受信し、元のストリームに復元して出力する。例えば、受信装置２０は、テレビ番組等のサービスを構成するコンポーネントとしての映像や音声のデータを出力する。
【００２３】
なお、図１の伝送システム１は、ATSC（Advanced Television Systems Committee standards）規格に準拠したデータ伝送のほか、DVB（Digital Video Broadcasting）規格やISDB（Integrated Services Digital Broadcasting）規格などに準拠したデータ伝送、その他のデータ伝送に適用することができる。また、伝送路３０としては、地上波のほか、衛星回線やケーブルテレビジョン網（有線回線）等を採用することができる。
【００２４】
＜２．本技術を適用したフレーム構造＞
【００２５】
（フレーム構造）
図２は、レイヤ１（Ｌ１）乃至レイヤ３（Ｌ３）のフレーム構造を示す図である。
【００２６】
図２に示すように、レイヤ３（Ｌ３）では、IPパケット（IP Packet）が伝送される。IPパケットは、IPヘッダ（IP Header）とデータ（Data）から構成される。IPパケットのデータには、映像や音声のデータと、選局情報や時刻情報等のシグナリング情報などが配置される。また、レイヤ２（Ｌ２）では、伝送パケットとしてのGenericパケット（Generic Packet）が伝送される。Genericパケットは、Genericヘッダ（Generic Header）とペイロード（Payload）から構成される。Genericパケットのペイロードには、１又は複数のIPパケットが配置され、カプセル化（encapsulation）される。
【００２７】
物理層に相当するレイヤ１（Ｌ１）のBBフレーム（Baseband Frame）は、BBフレームヘッダ（Baseband Frame Header）とペイロード（Payload）から構成される。BBフレームのペイロードには、複数のGenericパケットが配置され、カプセル化される。また、レイヤ１においては、複数のBBフレームをスクランブルして得られるデータ（Data）がFECフレーム（FEC Frame）にマッピングされ、物理層のエラー訂正用のパリティ（Parity）が付加される。
【００２８】
ここで、レイヤ１（Ｌ１）の物理層フレーム（ATSC (Physical) Frame）は、プリアンブル（Preamble）とデータ部（Data）から構成される。そして、物理層フレームのデータ部には、複数のFECフレームに対して、ビットインターリーブを行った後に、マッピング処理を行い、さらに、時間方向と周波数方向にインターリーブを行うなどの物理層の処理が行われることで得られるデータがマッピングされる。
【００２９】
ところで、DVB-T2規格やATSC3.0規格で用いられる物理層フレーム構造は、100〜200msの長さで構成されている。物理層フレームにおいては、プリアンブルを取得することではじめてそれに続くデータ部のデータを取得することが可能となる。受信装置２０においては、チューナにより所定の周波数を有するデジタル放送信号が受信されると、物理層フレームが出力されることになるが、物理層フレーム構造の途中からデータが取得された場合には、次にプリアンブルが出現するまでの間のデータは破棄されることになる。すなわち、受信装置２０におけるデータの取得タイミングが、物理層フレーム構造により制約を受けることになる。
【００３０】
（選局情報の伝送）
ここで、受信装置２０において、デジタル放送信号で伝送されるサービス（例えばテレビ番組）を選局するためには、選局情報を含むシグナリング情報（例えば、後述するLLS（Low Layer Signaling）シグナリング情報）を取得する必要がある。しかしながら、選局情報がどこに配置されているかの保証はなく、また、上述したように、物理層フレーム構造の途中からデータが取得された場合には、データが破棄されることになるため、破棄するデータをできるだけ少なくして、選局時間の遅延を抑制して選局処理を高速に行うことが要請されている。なお、MPEG2-TS方式の場合には、サービスインフォメーション（PSI/SI）の送出間隔の最大値が定められている。
【００３１】
図３は、物理層フレームごとに１つの選局情報を送出する場合における選局情報の位置と選局時間の関係を示す図である。
【００３２】
図３の上段において、物理層フレームのデータ部の最初（先頭）に、選局情報が配置されている場合には、受信装置２０は、プリアンブルを取得後、遅延なく、直ちに選局情報を取得することが可能となる。この場合、選局情報の位置が、選局時間に影響を及ぼすことはない。また、図３の中段において、物理層フレームのデータ部の中央に、選局情報が配置されている場合には、受信装置２０は、プリアンブルを取得後、物理層フレームのフレーム長の略半分の遅延が生じた後に、選局情報を取得することが可能となる。この場合、図３の上段の場合と比べて、選局情報の位置が、選局時間に及ぼす影響は大きくなる（影響度は「中」となる）。
【００３３】
図３の下段において、物理層フレームのデータ部の最後（末尾）に、選局情報が配置されている場合には、受信装置２０は、プリアンブルを取得後、物理層フレームのフレーム長分の遅延が生じた後に、選局情報を取得することが可能となる。この場合、図３の中段の場合と比べて、選局情報の位置がさらに、選局時間に影響を及ぼすことになる（影響度は「大」となる）。すなわち、この場合、選局情報を取得するまでに略フレーム長分だけ待つ必要があり、受信装置２０では選局情報を用いてデジタル放送信号で伝送されるサービス（例えばテレビ番組）を選局することになるため、選局情報を取得するまでの間のデータは全て破棄されることになる。
【００３４】
以上のように、物理層フレームごとに１つの選局情報を送出する場合、選局情報の位置が、物理層フレームの後方に位置するほど、破棄するデータが多くなるとともに、選局時間の遅延が大きくなることになる。
【００３５】
図４は、物理層フレームごとに２つの選局情報を送出する場合における選局情報の位置と選局時間の関係を示す図である。
【００３６】
図４の上段において、物理層フレームのデータ部の中央付近と後方の２箇所に、選局情報が配置されている場合には、受信装置２０は、プリアンブルを取得後、物理層フレームのフレーム長の略半分の遅延が生じた後に、中央付近に配置された選局情報を取得することが可能となる。この場合、２箇所に選局情報が配置されるため、少なくとも一方の選局情報は、物理層フレームのデータ部の前方から中央までの間に配置されていることが想定されるが、例えば上述した図３の上段の物理層フレームのデータ部の最初に選局情報が配置されている場合と比べると、選局情報の位置が、選局時間に影響を及ぼすことになる。
【００３７】
また、図４の下段において、物理層フレームのデータ部の前方と中央付近の２箇所に、選局情報が配置されている場合には、受信装置２０は、プリアンブルを取得後、少しの遅延が生じた後に、前方に配置された選局情報を取得することが可能となる。この場合、２箇所に選局情報が配置され、一方の選局情報は、物理層フレームのデータ部の前方に配置されているが、例えば上述した図３の上段の物理層フレームのデータ部の最初に選局情報が配置されている場合と比べれば、選局情報の位置が、選局時間に影響を及ぼすことになる。
【００３８】
以上のように、物理層フレームごとに複数の選局情報を送出する場合、１つの物理層フレーム当たりに配置される選局情報の数が増加して、選局情報の送出周期が短くなることにより、受信装置２０が選局情報を迅速に取得できるようになるため、選局時間の遅延を改善することが期待される一方、物理層フレームにおいては、選局情報が最適な位置に配置されることは保証されていない。そのため、例えば上述した図３の上段の物理層フレームのデータ部の最初（先頭）に選局情報が配置されている場合と比べれば、選局時間への影響が残る可能性が大きくなる。
【００３９】
また、１つの物理層フレーム（のデータ部）に複数の選局情報を配置すれば、物理層フレームの全体のデータ量に占める選局情報のデータ量が増大するため、その分だけ、映像や音声のデータ量を削減しなければならないことも想定され、その場合には、例えば画質や音質の悪化など、映像や音声のデータの伝送にも影響を及ぼすことになる。また、基本的に選局情報を１つ取得できれば選局処理を行うことができるため、２つ目以降の選局情報の重要度は低下してしまう。
【００４０】
そこで、本技術を適用した物理層フレームにおいては、プリアンブルの直後であって、それに続いて伝送されるデータ部の先頭に、選局情報をマッピングして、伝送されるようにすることで、受信装置２０において、物理層フレームから迅速に選局情報が取得されるようにして、選局時間を短縮化して選局処理の高速化を実現できるようにする。
【００４１】
ここで、図５に示すように、送信装置１０においては、物理層フレームスケジューラ１１９によって、物理層フレーム構造に配置されるデータのタイミングが管理される。すなわち、物理層フレームスケジューラ１１９は、物理層に関する変調情報である物理層変調情報や、エンコーダ１１８により符号化されたサービス（例えばテレビ番組）を構成するコンポーネントとしての映像や音声のデータが、物理層フレームの所定の位置に配置されるように管理することができる。具体的には、物理層フレームスケジューラ１１９によって、物理層変調情報がプリアンブルに配置され、映像や音声のデータがデータ部に配置される。
【００４２】
そして、送信装置１０においては、物理層フレームスケジューラ１１９によって、選局情報が、物理層フレームのデータ部の先頭に配置されるように管理する。このように、物理層フレームにおいて、選局情報がプリアンブルの直後に配置されることで、受信装置２０は、プリアンブルを取得後、データ部から、選局に必要となる選局情報を迅速に取得することができるため、選局時間を短縮して選局処理を高速化することができる。さらに、受信装置２０においては、プリアンブルを取得後、データ部の先頭から順にデータを取得するという、通常の動作だけで選局情報を取得することができるため、物理層フレームのデータ部の先頭に配置された選局情報を取得するための回路などを新たに追加する必要はない。
【００４３】
（時刻情報の伝送）
ところで、デジタル放送においては、送信側の送信装置１０と、受信側の受信装置２０とが、同期をとるために、正確な時刻情報を伝送する必要がある。この時刻情報としては、MPEG2-TS方式では、PCR（Program Clock Reference）が用いられていたが、IPパケットを放送に適用した方式（IP伝送方式）では、NTP（Network Time Protocol）が用いられることが想定されている。
【００４４】
図６は、物理層フレームにマッピングされる時刻情報の位置を示す図である。
【００４５】
図６において、NTP等の時刻情報は、IPパケットのデータに配置される。このIPパケットは、Genericパケットのペイロードに配置されて、カプセル化される。また、当該Genericパケット（時刻情報を含むGenericパケット）を含む複数のGenericパケットが、BBフレームのペイロードに配置され、カプセル化される。さらに、複数のBBフレームをスクランブルして得られるデータがFECフレームにマッピングされ、物理層のエラー訂正用のパリティが付加される。
【００４６】
そして、複数のFECフレームに対して、ビットインターリーブ等の物理層の処理が行われることで得られるデータが、物理層フレームのデータ部にマッピングされる。このようにして、NTP等の時刻情報が、物理層フレームにマッピングされることになるが、物理層フレームにマッピングされるまでの間に、IPパケット、Genericパケット、BBフレーム、及び、FECフレームと順次多重化されているため、ジッタの影響などで、時刻情報が配置される位置に誤差が生じることになる（図中の「誤差範囲」）。
【００４７】
すなわち、デジタル放送においては、同期をとるための正確な時刻情報を伝送する必要があるが、IPパケットが多重化されるため（多重化が繰り返されるため）、物理層フレームの正しい位置にマッピングされる保証はなく、時刻情報に対する誤差が許容範囲を超えてしまうと、例えば、映像と音声の同期には不十分な精度となることが生じうるため、その改善が要請されている。
【００４８】
そこで、本技術を適用した物理層フレームにおいては、一定の周期で伝送される物理層フレームのプリアンブルの直後であって、それに続いて伝送されるデータ部の先頭に、時刻情報をマッピングして、精度の高い時刻情報の伝送が実現されるようにすることで、受信装置２０において、例えば、確実に、映像と音声の同期をとることができるようにする。
【００４９】
具体的には、図７に示すように、図５の選局情報の場合と同様に、送信装置１０において、物理層フレームスケジューラ１１９によって、NTP等の時刻情報が、物理層フレームのデータ部の先頭に配置されるように管理する。なお、伝送すべき時刻情報は、物理層フレームスケジューラ１１９が必要とする処理時間よりも十分前に予測して配置することができるため、高い精度を確保することができる。
【００５０】
＜３．運用例＞
【００５１】
次に、選局情報と時刻情報を、物理層フレームのデータ部の先頭（プリアンブルの直後）に配置して伝送するための具体的な例として、運用例１乃至運用例３を説明する。
【００５２】
（１）運用例１
【００５３】
図８は、L2シグナリング（L2 Singaling）を利用して選局情報と時刻情報を伝送する方式（以下、「L2シグナリング伝送方式」という）を用いた運用例１を説明する図である。このL2シグナリング伝送方式においては、物理層フレームの最初のBBフレームにおいて、最初のGenericパケットのペイロードに、L2シグナリング情報として、選局情報と時刻情報が配置されるようにする。
【００５４】
図８は、Genericパケットの構成を示している。図８のGenericパケットにおいて、Genericヘッダの先頭には、3ビットのタイプ情報（Type）が設定される。このタイプ情報は、図９に示すように、Genericパケットのペイロードに配置されるデータのタイプに関する情報が設定される。
【００５５】
すなわち、ペイロードにIPv4のIPパケットが配置される場合、タイプ情報は、"000"が設定される。また、ペイロードに、圧縮されたIPパケットが配置される場合、タイプ情報は、"001"が設定される。さらに、ペイロードに、MPEG2-TS方式のTSパケットが配置される場合、タイプ情報は、"010"が設定される。
【００５６】
また、ペイロードに、L2シグナリング情報が配置される場合には、タイプ情報は、"100"が設定される。なお、図９において、"011"，"101"，"110"のタイプ情報は、未定義（Reserved）となっている。また、３つの未定義（Reserved）の領域による拡張では不足している場合には、所定の領域からなるタイプ情報を拡張するために、"111"が設定される。
【００５７】
図８の説明に戻り、L2シグナリング伝送方式では、ペイロードにL2シグナリング情報が配置されるため、Genericヘッダのタイプ情報には、"100"が設定されている。また、Genericヘッダにおいて、"100"が設定されたタイプ情報の次は、1ビットのリザーブド領域（Res：Reserved）とされ、その次に、ヘッダモード（HM：Header Mode）が配置される。
【００５８】
ヘッダモードとして、"0"が設定された場合、それに続いて、11ビットのレングス情報（Length（LSB））が配置される。このレングス情報は、Genericパケットのペイロードの長さに設定される。一方、ヘッダモードとして、"1"が設定された場合、それに続いて、11ビットのレングス情報（Length（LSB））と、5ビットのレングス情報（Length（MSB））の合計16ビットのレングス情報が配置され、さらに、3ビットのリザーブド領域（Res）が設けられる。
【００５９】
すなわち、ヘッダモードとして"0"が設定された場合、レングス情報（Length（LSB））は、11ビットであるため、Genericパケットのペイロードの長さとして、0〜2047（=211-1）バイトの範囲の値を表すことができる。しかしながら、11ビットのレングス情報では、2048バイト以上のペイロードの長さを表すことができない。そこで、ペイロードに、2048バイト以上のデータが配置される場合には、ヘッダモードとして"1"を設定し、Genericヘッダの領域として1バイトが追加されるようにすることで、2048バイト以上のペイロードの長さを表すことができるようにする。
【００６０】
Genericパケットにおいては、以上のように構成されるGenericヘッダに続いて、ペイロードが配置される。ここでは、Genericヘッダのタイプ情報として、"100"が設定されているため、ペイロードには、L2シグナリング情報が配置される。そして、L2シグナリング伝送方式では、このL2シグナリング情報として選局情報と時刻情報が配置されることになる。ただし、上述したように、この選局情報と時刻情報を含むL2シグナリング情報が、ペイロードに配置されたGenericパケットは、物理層フレームの最初のBBフレームにおける最初のGenericパケットに相当している。
【００６１】
以上のように、選局情報と時刻情報を伝送するための伝送フォーマットとして、L2シグナリング伝送方式を利用して、物理層フレームの最初のBBフレームにおいて、最初のGenericパケットのペイロードに、選局情報と時刻情報を含むL2シグナリング情報が配置されるようにすることで、選局情報と時刻情報を、物理層フレームのデータの先頭（プリアンブルの直後）に配置して伝送することが可能となる。
【００６２】
（２）運用例２
【００６３】
図１０は、L2拡張ヘッダ（L2 Extension Header）を利用して選局情報と時刻情報を伝送する方式（以下、「L2拡張ヘッダ伝送方式」という）を用いた運用例２を説明する図である。このL2拡張ヘッダ伝送方式においては、物理層フレームの最初のBBフレームにおいて、最初のGenericパケットの拡張ヘッダに、選局情報と時刻情報が配置されるようにする。
【００６４】
図１０は、Genericパケットの構成を示している。図１０のGenericヘッダにおいて、3ビットのタイプ情報には、"000"，"001"，又は"010"が設定される。すなわち、図１１に示すように、タイプ情報として、"000"が設定された場合、ペイロードには、IPv4のIPパケットが配置され、"001"が設定された場合、ペイロードには、圧縮されたIPパケットが配置される。また、タイプ情報として、"010"が設定された場合、ペイロードには、TSパケットが配置される。なお、ここでは、L2拡張ヘッダ伝送方式において、タイプ情報として、"000"，"001"，又は"010"が設定されるとして説明するが、タイプ情報に、"100"を設定して、ペイロードに、L2シグナリング情報が配置されるようにしてもよい。
【００６５】
Genericヘッダにおいて、"000"，"001"，又は"010"が設定されたタイプ情報の次には、1ビットのパケット設定情報（PC：Packet Configuration）が配置される。パケット設定情報として、"0"が設定された場合、Genericヘッダはノーマルモード（Normal mode）となって、その次に配置されるヘッダモード（HM）に応じて、レングス情報（Length）が配置される。そして、Genericヘッダに続くペイロードには、Genericヘッダのタイプ情報に応じて、IPv4のIPパケット、圧縮されたIPパケット、又はTSパケットが配置される。
【００６６】
一方、パケット設定情報（PC）として、"1"が設定された場合には、Genericヘッダはシグナリングモード（Signaling mode）となって、その次に配置されるヘッダモード（HM）に応じて、レングス情報（Length）が配置される。すなわち、ヘッダモードとして、"0"が設定された場合、それに続いて、11ビットのレングス情報（Length（LSB））が配置される。また、シグナリングモードが設定されている場合には、Genericヘッダが拡張されて、レングス情報の次に、L2シグナリング情報（Signaling）が配置される。
【００６７】
そして、L2拡張ヘッダ伝送方式では、この拡張ヘッダ（L2拡張ヘッダ）に配置されるL2シグナリング情報として、選局情報と時刻情報が配置されることになる。なお、以上のように構成されるGenericヘッダ（L2拡張ヘッダ）に続いて、ペイロードが配置される。このペイロードには、Genericヘッダのタイプ情報に応じて、IPv4や圧縮されたIPパケット等が配置される。ただし、上述したように、この選局情報と時刻情報を含むL2シグナリング情報が、Genericパケットの拡張ヘッダ（L2拡張ヘッダ）に配置されたGenericパケットは、物理層フレームの最初のBBフレームにおける最初のGenericパケットに相当している。
【００６８】
また、パケット設定情報（PC）として"1"が設定された場合に、ヘッダモード（HM）として"1"が設定されているときには、ヘッダモードに続いて、16ビットのレングス情報（Length）と3ビットのリザーブド領域（Res）が配置される。また、シグナリングモードが設定されている場合には、Genericヘッダが拡張されて、リザーブド領域（Res）の次に、L2シグナリング情報（Signaling）が配置される。そして、上述した"0"であるヘッダモードが設定された場合と同様に、この拡張ヘッダ（L2拡張ヘッダ）に配置されるL2シグナリング情報として、選局情報と時刻情報が配置されることになる。
【００６９】
なお、Genericパケットにおいては、この選局情報と時刻情報を含むL2シグナリング情報が配置された拡張ヘッダ（L2拡張ヘッダ）に続いて、ペイロードに、IPv4や圧縮されたIPパケット等が配置されるが、上述したように、このGenericパケットは、物理層フレームの最初のBBフレームにおける最初のGenericパケットに相当している。
【００７０】
以上のように、選局情報と時刻情報を伝送するための伝送フォーマットとして、L2拡張ヘッダ伝送方式を利用して、物理層フレームの最初のBBフレームにおいて、最初のGenericパケットの拡張ヘッダ（L2拡張ヘッダ）に、選局情報と時刻情報が配置されるようにすることで、選局情報と時刻情報を、物理層フレームのデータの先頭（プリアンブルの直後）に配置して伝送することが可能となる。
【００７１】
（３）運用例３
【００７２】
図１２は、L1拡張ヘッダ（L1 Extension Header）を利用して選局情報と時刻情報を伝送する方式（以下、「L1拡張ヘッダ伝送方式」という）を用いた運用例３を説明する図である。このL1拡張ヘッダ伝送方式においては、物理層フレームの最初のBBフレームの拡張ヘッダに、選局情報と時刻情報が配置されるようにする。
【００７３】
図１２は、BBフレームの構成を示している。図１２において、BBフレームは、BBフレームヘッダとペイロード（Payload）から構成される。BBフレームヘッダには、1又は2バイトのヘッダ（Header）のほか、オプショナルフィールド（Optional Field）と、拡張フィールド（Extension Field）を配置することができる。
【００７４】
すなわち、ヘッダ（Header）において、1ビットのモード（MODE）として、"0"が設定された場合には、7ビットのポインタ情報（Pointer(LSB)）が配置される。なお、ポインタ情報は、BBフレームのペイロードに配置されるGenericパケットの位置を示すための情報である。例えば、あるBBフレームに最後に配置されたGenericパケットのデータが、次のBBフレームにまたがって配置される場合に、ポインタ情報として、次のBBフレームの先頭に配置されるGenericパケットの位置情報を設定することができる。
【００７５】
また、モード（MODE）として、"1"が設定された場合には、7ビットのポインタ情報（Pointer(LSB)）と、6ビットのポインタ情報（Pointer(MSB)）と、2ビットのオプショナルフラグ（OPTI：OPTIONAL）が配置される。オプショナルフラグは、オプショナルフィールド（Optional Field）と、拡張フィールド（Extension Field）を配置して、ヘッダを拡張するかどうかを示す情報である。
【００７６】
すなわち、図１３に示すように、オプショナルフィールドと拡張フィールドの拡張を行わない場合、オプショナルフラグは、"00"が設定される。また、オプショナルフィールドの拡張のみを行う場合、オプショナルフラグは、"01"又は"10"が設定される。なお、オプショナルフラグとして"01"が設定された場合、オプショナルフィールドには、1バイト(8ビット)のパディングが行われる。また、オプショナルフラグとして"10"が設定された場合、オプショナルフィールドには、2バイト(16ビット)のパディングが行われる。
【００７７】
また、オプショナルフィールドと拡張フィールドの拡張を行う場合、オプショナルフラグは、"11"が設定される。この場合、オプショナルフィールドの先頭には、3ビットの拡張タイプ情報（TYPE（EXT_TYPE））が設定される。このタイプ情報は、図１４に示すように、拡張タイプ情報の次に配置される拡張レングス情報（EXT_Length(LSB)）と拡張フィールドのタイプ（Extension type）に関する情報が設定される。
【００７８】
すなわち、拡張レングス情報を配置し、スタッフィングバイト（Stuffing Bytes）のみが配置される場合、拡張タイプ情報は、"000"が設定される。また、拡張レングス情報を配置せずに、拡張フィールドに、ISSY（Input Stream Synchronizer）が配置される場合、拡張タイプ情報は、"001"が設定される。さらに、拡張レングス情報を配置し、拡張フィールドに、ISSYとともに、スタッフィングバイトが配置される場合、拡張タイプ情報は、"010"が設定される。
【００７９】
また、拡張レングス情報を配置し、拡張フィールドに、L1シグナリング情報が配置される場合、拡張タイプ情報は、"011"が設定される。この場合、スタッフィングバイトを配置するかどうかは任意である。なお、図１４において、"100"〜"111"の拡張タイプ情報は、未定義（Reserved）となっている。
【００８０】
そして、L1拡張ヘッダ伝送方式では、この拡張フィールド（L1拡張ヘッダ）のL1シグナリング情報として、選局情報と時刻情報が配置されることになる。すなわち、L1拡張ヘッダ伝送方式が利用される場合、オプショナルフラグ（OPTI）として"11"が設定されて、オプショナルフィールドと拡張フィールドの拡張が行われ、さらにオプショナルフィールドの拡張タイプ情報（EXT_TYPE）として"011"が設定されて、拡張フィールドに、選局情報と時刻情報を含むL1シグナリング情報が配置されることになる。ただし、上述したように、この選局情報と時刻情報を含むL1シグナリング情報が拡張ヘッダ（L1拡張ヘッダ）に配置されたBBフレームは、物理層フレームの最初のBBフレームに相当している。
【００８１】
以上のように、選局情報と時刻情報を伝送するための伝送フォーマットとして、L1拡張ヘッダ伝送方式を利用して、物理層フレームの最初のBBフレームの拡張ヘッダ（L1拡張ヘッダ）に、選局情報と時刻情報が配置されるようにすることで、選局情報と時刻情報を、物理層フレームのデータの先頭（プリアンブルの直後）に配置して伝送することが可能となる。
【００８２】
（LLSシグナリング情報）
例えば、選局情報は、サービスに依存しない低レイヤのLLSシグナリング情報として伝送することができる。LLSシグナリング情報としては、SCD（Service Configuration Description）等のLLSメタデータが含まれる。SCDは、MPEG2-TS方式に対応したID体系によって、選局情報として、ネットワーク内のBBPストリーム構成とサービス構成を示している。また、SCDには、物理層のパラメータのほか、サービスレベルのSCS（Service Channel Signaling）シグナリング情報を取得するためのSCブートストラップ情報などが含まれる。
【００８３】
図１５は、LLSパケットの構造を示す図である。
【００８４】
図１５に示すように、BBPパケットは、BBPヘッダとペイロードから構成される。BBPストリームによりIPパケットを伝送する場合には、ペイロードに、IPパケットが配置される。BBPストリームによりLLSシグナリング情報を伝送する場合には、BBPヘッダの次にLLSシグナリング情報が配置される。LLSシグナリング情報としては、例えば、XML（Extensible Markup Language）形式で記述されたSCD等のLLSメタデータが配置される。
【００８５】
BBPヘッダには、2ビットのタイプ情報が含まれており、そのタイプ情報によって、BBPパケットがIPパケットであるか、LLSであるかを区別することができる。また、LLSヘッダは、LLSインデックスとオブジェクトバージョン情報（バージョン情報）から構成される。
【００８６】
図１６は、図１５のLLSヘッダのLLSインデックスの例を示す図である。
【００８７】
LLSインデックスは、圧縮情報（Compression Scheme）、タイプ情報（Fragment Type）、拡張タイプ情報（Type Extension）が配置される。圧縮情報には、対象のLLSシグナリング情報の圧縮の有無を示す情報が設定される。例えば、"0000"が設定された場合には、非圧縮であることを示し、"0001"が設定された場合には、zip形式で圧縮されていることを示している。
【００８８】
タイプ情報（Fragment Type）には、LLSシグナリング情報のタイプを示す情報が設定される。例えば、選局情報としてのSCDには"000000"，緊急警報情報としてのEAD（Emergency Alerting Description）には"000001"，レーティング情報としてのRRD（Region Rating Description）には"000010"，最小限のサービスの選局を行うためのDCD（Default Component Description）には"000011"をそれぞれ設定することができる。また、例えば、時刻情報（例えばNTP）に、"000001"が設定されるようにしてもよい。
【００８９】
拡張タイプ情報には、タイプごとに拡張パラメータが設定される。例えば、拡張タイプ情報として、時刻情報に関する時差情報（Offset）やサマータイム情報を設定することができる。
【００９０】
（時刻情報）
図１７は、時刻情報として用いられるNTPの構成例を示す図である。
【００９１】
2ビットのL1は、Leap Indicatorの略であって、現在月の最後の１分に、うるう秒を挿入又は削除することを示す。3ビットのVNは、Version Numberの略であって、NTPのバージョンを示す。3ビットのModeは、NTPの動作モードを示す。
【００９２】
8ビットのStratumは、階層を示し、当該階層に応じて符号化される。8ビットのPollは、ポーリング間隔として、連続するNTPメッセージの最大間隔（秒単位）を示す。8ビットのPrecisionは、システムクロックの精度（秒単位）を示す。
【００９３】
Root Delayは、ルート遅延として、参照時刻までの往復の遅延をNTP短形式で示す。Root Dispersionは、参照時刻までの合計遅延の分散をNTP短形式で示す。Reference IDは、参照時刻を表す識別子を示す。放送システムでは、NULLを示す"0000"を格納する。
【００９４】
Reference Timestampは、参照タイムスタンプとして、システム時刻が最後に補正された時刻をNTP長形式で示す。Origin Timestampは、開始タイムスタンプとして、クライアントからサーバへリクエスト送出したクライアントの時刻をNTP長形式で示す。放送システムでは、"0"を格納する。
【００９５】
Receive Timestampは、受信タイムスタンプとして、クライアントからのリクエストを受信したサーバの時刻をNTP長形式で示す。放送システムでは、"0"を格納する。Transmit Timestampは、送信タイムスタンプとして、クライアントへの応答を送出したサーバの時刻をNTP長形式で示す。なお、Extension Field 1や、Extension Field 2は、拡張用のフィールドとされる。
【００９６】
NTPは、以上のように構成される。なお、時刻情報としては、NTP以外の他の時刻情報を用いるようにしてもよい。
【００９７】
なお、上述した説明では、L2シグナリング伝送方式、L2拡張ヘッダ伝送方式、又は、L1拡張ヘッダ伝送方式により選局情報と時刻情報を、物理層フレームのデータ部の先頭（プリアンブルの直後）に配置して伝送する場合を説明したが、要は、選局情報と時刻情報が物理層フレームのデータ部の先頭（プリアンブルの直後）に配置されればよいのであって、上述した３つの伝送方式以外の方式によって、選局情報と時刻情報が物理層フレームのデータ部の先頭に配置されるようにしてもよい。
【００９８】
また、上述した説明では、選局情報と時刻情報の両方の情報が、物理層フレームのデータ部の先頭に配置される場合を説明したが、選局情報と時刻情報のうち、少なくとも一方の情報が配置されればよい。さらに、上述した図７においては、物理層フレームのデータ部の先頭には、時刻情報の次に選局情報が配置されているが、その順序は任意であり、選局情報の次に時刻情報が配置されるようにしてもよい。また、上述した説明では、物理層フレームのデータ部の先頭に配置される特定の情報として、選局情報と時刻情報について述べたが、物理層フレームのデータ部の先頭に配置することで何らかの効果が得られる、他の特定の情報が配置されるようにしてもよい。
【００９９】
＜４．各装置の構成＞
【０１００】
次に、図１の伝送システムを構成する、送信装置１０と受信装置２０の詳細な構成を説明する。
【０１０１】
（送信装置の構成）
図１８は、図１の送信装置１０の構成例を示す図である。
【０１０２】
図１８において、送信装置１０は、物理層変調情報取得部１１１、物理層変調情報処理部１１２、選局情報取得部１１３、選局情報処理部１１４、時刻情報取得部１１５、時刻情報処理部１１６、コンポーネント取得部１１７、エンコーダ１１８、物理層フレームスケジューラ１１９、物理層フレーム生成部１２０、及び、送信部１２１から構成される。
【０１０３】
物理層変調情報取得部１１１は、物理層変調情報を取得（生成）して、物理層変調情報処理部１１２に供給する。物理層変調情報処理部１１２は、物理層変調情報取得部１１１から供給される物理層変調情報を処理し、物理層フレームスケジューラ１１９に供給する。なお、物理層変調情報としては、例えば、ATSC3.0の規格に準拠したL1シグナリング情報などが用いられる。
【０１０４】
選局情報取得部１１３は、選局情報を取得（生成）して、選局情報処理部１１４に供給する。選局情報処理部１１４は、選局情報取得部１１３から供給される選局情報を処理し、物理層フレームスケジューラ１１９に供給する。なお、選局情報としては、例えば、LLSシグナリング情報としてのSCDが用いられる。
【０１０５】
時刻情報取得部１１５は、時刻情報を取得（生成）し、時刻情報処理部１１６に供給する。時刻情報処理部１１６は、時刻情報取得部１１５から供給される時刻情報を処理し、物理層フレームスケジューラ１１９に供給する。なお、時刻情報としては、例えば、NTPが用いられる。
【０１０６】
コンポーネント取得部１１７は、サービス（例えばテレビ番組）を構成するコンポーネントとしての映像や音声のデータを取得し、エンコーダ１１８に供給する。エンコーダ１１８は、コンポーネント取得部１１７から供給される映像や音声のデータを、所定の符号化方式に従い、符号化し、コンポーネントのストリームとして、物理層フレームスケジューラ１１９に供給する。
【０１０７】
なお、コンポーネントとしては、例えば、既に収録されたコンテンツの保管場所から、放送時間帯に応じて該当するコンテンツが取得されたり、あるいはスタジオやロケーション場所からライブのコンテンツが取得されたりする。
【０１０８】
物理層変調情報処理部１１２からの物理層変調情報と、選局情報処理部１１４からの選局情報と、時刻情報処理部１１６からの時刻情報と、エンコーダ１１８からのコンポーネントのストリームは、物理層フレームスケジューラ１１９を介して、物理層フレーム生成部１２０に供給される。物理層フレーム生成部１２０は、物理層変調情報、選局情報、時刻情報、及び、コンポーネントのストリームに基づいて、ATSC3.0の規格に準拠した物理層フレームを生成し、送信部１２１に供給する。
【０１０９】
ただし、物理層フレーム生成部１２０は、物理層フレームを生成するに際し、物理層フレームスケジューラ１１９による管理に従い、物理層フレームにおいて、選局情報と時刻情報がデータ部の先頭（プリアンブルの直後）に配置されるように、物理層フレームを生成することになる。なお、物理層変調情報は、物理層フレームのプリアンブルに配置される。
【０１１０】
具体的には、物理層フレームスケジューラ１１９は、L2シグナリング伝送方式が採用された場合、物理層フレーム生成部１２０を制御して、物理層フレームの最初のBBフレームにおいて、最初のGenericパケットのペイロードに、選局情報と時刻情報を含むL2シグナリング情報が配置されるようにすることで、選局情報と時刻情報が、物理層フレームのデータ部の先頭（プリアンブルの直後）に配置されるようにする。
【０１１１】
また、物理層フレームスケジューラ１１９は、L2拡張ヘッダ伝送方式が採用された場合、物理層フレーム生成部１２０を制御して、物理層フレームの最初のBBフレームにおいて、最初のGenericパケットの拡張ヘッダ（L2拡張ヘッダ）に、選局情報と時刻情報を含むL2シグナリング情報が配置されるようにすることで、選局情報と時刻情報が、物理層フレームのデータ部の先頭（プリアンブルの直後）に配置されるようにする。
【０１１２】
さらに、物理層フレームスケジューラ１１９は、L1拡張ヘッダ伝送方式が採用された場合、物理層フレーム生成部１２０を制御して、物理層フレームの最初のBBフレームの拡張ヘッダ（L1拡張ヘッダ）に、選局情報と時刻情報を含むL1シグナリング情報が配置されるようにすることで、選局情報と時刻情報が、物理層フレームのデータ部の先頭（プリアンブルの直後）に配置されるようにする。
【０１１３】
送信部１２１は、物理層フレーム生成部１２０からの物理層フレームに対して、例えば、符号化、OFDM（Orthogonal Frequency Division Multiplexing）等のデジタル変調、RF（Radio Frequency）帯へのアップコンバージョン（放送局に割り当てられた周波数チャンネル）、又は電力増幅などの処理を行い、アンテナ１２２を介して、デジタル放送信号として送信する。
【０１１４】
なお、図１８の送信装置１０において、すべての機能ブロックが、物理的に単一の装置内に配置される必要はなく、少なくとも一部の機能ブロックが、他の機能ブロックとは物理的に独立した装置として構成されるようにしてもよい。
【０１１５】
（受信装置の構成）
図１９は、図１の受信装置２０の構成例を示す図である。
【０１１６】
図１９において、受信装置２０は、チューナ２１２、復調部２１３、制御部２１４、表示部２１５、及び、スピーカ２１６から構成される。
【０１１７】
チューナ２１２は、アンテナ２１１で受信されたデジタル放送信号から所定の周波数チャンネルの成分について同調を行う。復調部２１３は、チューナ２１２により同調されたデジタル放送信号の復調処理を行う。この復調処理では、例えば、物理層変調情報などを用いて、デジタル放送信号として受信されるATSC3.0の規格に準拠した物理層フレームに対する復調処理が行われる。
【０１１８】
制御部２１４は、復調部２１３から供給される信号に対する処理を行う。例えば、制御部２１４は、復調部２１３からの信号から得られるコンポーネントのストリームに対して、所定の復号方式に従い、復号処理を施し、その結果得られる映像や音声のデータに基づいて、サービス（テレビ番組）の映像を表示部２１５に表示させるとともに、音声をスピーカ２１６から出力させる。なお、制御部２１４は、例えば、システムオンチップ（SoC：System On Chip）として構成されている。
【０１１９】
ここで、復調部２１３においては、復調処理を行うに際し、物理層フレームにおいて、データ部の先頭（プリアンブルの直後）に配置された選局情報と時刻情報が取得され、処理されることになる。
【０１２０】
具体的には、復調部２１３は、L2シグナリング伝送方式が採用された場合、物理層フレームの最初のBBフレームにおいて、最初のGenericパケットのペイロードに配置される、L2シグナリング情報に含まれる選局情報と時刻情報を取得することで、物理層フレームのデータ部の先頭（プリアンブルの直後）から、選局情報と時刻情報が取得されることになる。
【０１２１】
また、復調部２１３は、L2拡張ヘッダ伝送方式が採用された場合、物理層フレームの最初のBBフレームにおいて、最初のGenericパケットの拡張ヘッダ（L2拡張ヘッダ）に配置される、L2シグナリング情報に含まれる選局情報と時刻情報を取得することで、物理層フレームのデータ部の先頭（プリアンブルの直後）から、選局情報と時刻情報が取得されることになる。
【０１２２】
さらに、復調部２１３は、L1拡張ヘッダ伝送方式が採用された場合、物理層フレームの最初のBBフレームの拡張ヘッダ（L1拡張ヘッダ）に配置される、L1シグナリング情報に含まれる選局情報と時刻情報を取得することで、物理層フレームのデータ部の先頭（プリアンブルの直後）から、選局情報と時刻情報が取得されることになる。
【０１２３】
このように、受信装置２０（復調部２１３）においては、物理層フレームのプリアンブルを取得後、それに続いて伝送されるデータ部の先頭（プリアンブルの直後）から、選局情報が迅速に取得されることになるため、選局処理を高速化することができる。また、受信装置２０（復調部２１３）においては、一定の周期で伝送される物理層フレームのプリアンブルを取得後、それに続いて伝送されるデータ部の先頭（プリアンブルの直後）にマッピングされた時刻情報が取得されることになるため、この精度の高い時刻情報を用いて、例えば、確実に映像と音声の同期をとることができる。
【０１２４】
さらに、受信装置２０（復調部２１３）においては、物理層フレームのプリアンブルを取得後、データ部の先頭から順にデータを取得するという、通常の動作だけで選局情報や時刻情報を取得することができるため、データ部の先頭に配置された選局情報や時刻情報を取得するための回路などを新たに追加する必要はない。
【０１２５】
なお、図１９の受信装置２０においては、表示部２１５及びスピーカ２１６が内蔵されている構成を説明したが、表示部２１５及びスピーカ２１６は、外部に設けられるようにしてもよい。
【０１２６】
＜５．各装置で実行される処理の流れ＞
【０１２７】
次に、図２０乃至図２１のフローチャートを参照して、図１の伝送システム１を構成する各装置で実行される処理の流れについて説明する。
【０１２８】
（送信処理）
まず、図２０のフローチャートを参照して、図１の送信装置１０により実行される送信処理を説明する。
【０１２９】
ステップＳ１０１において、物理層変調情報取得部１１１は、物理層変調情報を取得（生成）し、物理層変調情報処理部１１２に供給する。また、ステップＳ１０１において、物理層変調情報処理部１１２は、物理層変調情報取得部１１１から供給される物理層変調情報を処理し、物理層フレームスケジューラ１１９に供給する。
【０１３０】
ステップＳ１０２において、選局情報取得部１１３は、選局情報を取得（生成）し、選局情報処理部１１４に供給する。また、ステップＳ１０２において、選局情報処理部１１４は、選局情報取得部１１３から供給される選局情報を処理し、物理層フレームスケジューラ１１９に供給する。
【０１３１】
ステップＳ１０３において、時刻情報取得部１１５は、時刻情報を取得（生成）し、時刻情報処理部１１６に供給する。また、ステップＳ１０３において、時刻情報処理部１１６は、時刻情報取得部１１５から供給される時刻情報を処理し、物理層フレームスケジューラ１１９に供給する。
【０１３２】
ステップＳ１０４において、コンポーネント取得部１１７は、サービス（例えばテレビ番組）を構成するコンポーネントとしての映像や音声のデータを取得し、エンコーダ１１８に供給する。また、ステップＳ１０４において、エンコーダ１１８は、コンポーネント取得部１１７から供給される映像や音声のデータを、所定の符号化方式に従って符号化し、物理層フレームスケジューラ１１９に供給する。
【０１３３】
ステップＳ１０５において、物理層フレームスケジューラ１１９は、物理層フレーム生成部１２０を制御して、物理層フレームのスケジューリング処理を行う。ステップＳ１０６において、物理層フレーム生成部１２０は、物理層フレームスケジューラ１１９からの制御に従い、物理層フレームにおいて、選局情報と時刻情報がデータ部の先頭（プリアンブルの直後）に配置されるように、物理層フレームを生成し、送信部１２１に供給する。
【０１３４】
具体的には、物理層フレームスケジューラ１１９は、L2シグナリング伝送方式が採用された場合、物理層フレーム生成部１２０を制御して、物理層フレームの最初のBBフレームにおいて、最初のGenericパケットのペイロードに、選局情報と時刻情報を含むL2シグナリング情報が配置されるようにすることで、選局情報と時刻情報が、物理層フレームのデータ部の先頭（プリアンブルの直後）に配置されるようにする。
【０１３５】
また、物理層フレームスケジューラ１１９は、L2拡張ヘッダ伝送方式が採用された場合、物理層フレーム生成部１２０を制御して、物理層フレームの最初のBBフレームにおいて、最初のGenericパケットの拡張ヘッダ（L2拡張ヘッダ）に、選局情報と時刻情報を含むL2シグナリング情報が配置されるようにすることで、選局情報と時刻情報が、物理層フレームのデータ部の先頭（プリアンブルの直後）に配置されるようにする。
【０１３６】
さらに、物理層フレームスケジューラ１１９は、L1拡張ヘッダ伝送方式が採用された場合、物理層フレーム生成部１２０を制御して、物理層フレームの最初のBBフレームの拡張ヘッダ（L1拡張ヘッダ）に、選局情報と時刻情報を含むL1シグナリング情報が配置されるようにすることで、選局情報と時刻情報が、物理層フレームのデータ部の先頭（プリアンブルの直後）に配置されるようにする。
【０１３７】
ステップＳ１０７において、送信部は、物理層フレーム生成部１２０からの物理層フレームに対して、所定の処理を行い、アンテナ１２２を介して、デジタル放送信号として送信する。ステップＳ１０７の処理が終了すると、図２０の送信処理は終了される。
【０１３８】
以上、送信処理について説明した。この送信処理においては、L2シグナリング伝送方式、L2拡張ヘッダ伝送方式、又は、L1拡張ヘッダ伝送方式のいずれかの方式によって、物理層フレームにおいて、選局情報と時刻情報がデータ部の先頭（プリアンブルの直後）に配置されるように、物理層フレームが生成され、デジタル放送信号として送信されることになる。
【０１３９】
（受信処理）
次に、図２１のフローチャートを参照して、図１の受信装置２０により実行される受信処理を説明する。
【０１４０】
ステップＳ２０１において、チューナ２１２は、アンテナ２１１で受信されたデジタル放送信号から所定の周波数チャンネルの成分について同調を行う。すなわち、受信装置２０は、送信装置１０からのデジタル放送信号を受信している。
【０１４１】
ステップＳ２０２において、復調部２１３は、チューナ２１２により同調されたデジタル放送信号の復調処理を行う。この復調処理では、例えば、物理層変調情報などを用いて、デジタル放送信号として受信されるATSC3.0の規格に準拠した物理層フレームに対する復調処理が行われる。また、復調部２１３においては、復調処理を行うに際し、物理層フレームにおいて、データ部の先頭（プリアンブルの直後）に配置された選局情報と時刻情報が取得され、処理されることになる。
【０１４２】
具体的には、復調部２１３は、L2シグナリング伝送方式が採用された場合、物理層フレームの最初のBBフレームにおいて、最初のGenericパケットのペイロードに配置される、L2シグナリング情報に含まれる選局情報と時刻情報を取得することで、物理層フレームのデータ部の先頭（プリアンブルの直後）から、選局情報と時刻情報が取得されることになる。
【０１４３】
また、復調部２１３は、L2拡張ヘッダ伝送方式が採用された場合、物理層フレームの最初のBBフレームにおいて、最初のGenericパケットの拡張ヘッダ（L2拡張ヘッダ）に配置される、L2シグナリング情報に含まれる選局情報と時刻情報を取得することで、物理層フレームのデータ部の先頭（プリアンブルの直後）から、選局情報と時刻情報が取得されることになる。
【０１４４】
さらに、復調部２１３は、L1拡張ヘッダ伝送方式が採用された場合、物理層フレームの最初のBBフレームの拡張ヘッダ（L1拡張ヘッダ）に配置される、L1シグナリング情報に含まれる選局情報と時刻情報を取得することで、物理層フレームのデータ部の先頭（プリアンブルの直後）から、選局情報と時刻情報が取得されることになる。
【０１４５】
ステップＳ２０３において、制御部２１４は、ステップＳ２０２の復調処理の結果に従い、コンポーネントを処理し、その結果得られる映像や音声のデータに基づいて、サービス（テレビ番組）の映像を表示部２１５に表示させるとともに、音声をスピーカ２１６から出力させる。
【０１４６】
このとき、受信装置２０（復調部２１３）においては、物理層フレームのプリアンブルを取得後、それに続いて伝送されるデータ部の先頭（プリアンブルの直後）から、選局情報が迅速に取得されることになるため、チューナ２１２等は、選局処理を高速化することができる。また、受信装置２０（復調部２１３）においては、一定の周期で伝送される物理層フレームのプリアンブルを取得後、それに続いて伝送されるデータ部の先頭（プリアンブルの直後）にマッピングされた時刻情報が取得されることになるため、制御部２１４等は、この精度の高い時刻情報を用いて、例えば、確実に映像と音声の同期をとることができる。ステップＳ２０３の処理が終了すると、図２１の受信処理は終了される。
【０１４７】
以上、受信処理について説明した。この受信処理においては、送信装置１０からのデジタル放送信号が受信され、L2シグナリング伝送方式、L2拡張ヘッダ伝送方式、又は、L1拡張ヘッダ伝送方式のいずれかの方式によって、物理層フレームにおいて、データ部の先頭（プリアンブルの直後）に配置されている選局情報と時刻情報が取得されることになるため、例えば、選局情報を用いた選局処理の高速化や、精度の高い時刻情報の伝送を実現することができる。
【０１４８】
＜６．コンピュータの構成＞
【０１４９】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図２２は、上述した一連の処理をプログラムにより実行するコンピュータのハードウェアの構成例を示す図である。
【０１５０】
コンピュータ９００において、CPU（Central Processing Unit）９０１，ROM（Read Only Memory）９０２，RAM（Random Access Memory）９０３は、バス９０４により相互に接続されている。バス９０４には、さらに、入出力インターフェース９０５が接続されている。入出力インターフェース９０５には、入力部９０６、出力部９０７、記録部９０８、通信部９０９、及び、ドライブ９１０が接続されている。
【０１５１】
入力部９０６は、キーボード、マウス、マイクロフォンなどよりなる。出力部９０７は、ディスプレイ、スピーカなどよりなる。記録部９０８は、ハードディスクや不揮発性のメモリなどよりなる。通信部９０９は、ネットワークインターフェースなどよりなる。ドライブ９１０は、磁気ディスク、光ディスク、光磁気ディスク、又は半導体メモリなどのリムーバブルメディア９１１を駆動する。
【０１５２】
以上のように構成されるコンピュータ９００では、CPU９０１が、ROM９０２や記録部９０８に記憶されているプログラムを、入出力インターフェース９０５及びバス９０４を介して、RAM９０３にロードして実行することにより、上述した一連の処理が行われる。
【０１５３】
コンピュータ９００（CPU９０１）が実行するプログラムは、例えば、パッケージメディア等としてのリムーバブルメディア９１１に記録して提供することができる。また、プログラムは、ローカルエリアネットワーク、インターネット、デジタル衛星放送といった、有線又は無線の伝送媒体を介して提供することができる。
【０１５４】
コンピュータ９００では、プログラムは、リムーバブルメディア９１１をドライブ９１０に装着することにより、入出力インターフェース９０５を介して、記録部９０８にインストールすることができる。また、プログラムは、有線又は無線の伝送媒体を介して、通信部９０９で受信し、記録部９０８にインストールすることができる。その他、プログラムは、ROM９０２や記録部９０８に、あらかじめインストールしておくことができる。
【０１５５】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０１５６】
なお、本技術の実施の形態は、上述した実施の形態に限定されるものではなく、本技術の要旨を逸脱しない範囲において種々の変更が可能である。
【０１５７】
また、本技術は、以下のような構成をとることができる。
【０１５８】
（１）
サービスの選局を行うための選局情報を取得する選局情報取得部と、
送信側と受信側で同期をとるための時刻情報を取得する時刻情報取得部と、
プリアンブルとデータ部からなる物理層フレームとして、前記プリアンブルの直後であって前記データ部の先頭に、前記選局情報及び前記時刻情報のうちの少なくとも一方の情報を含む特定の情報を配置した前記物理層フレームを生成する物理層フレーム生成部と、
前記物理層フレームを、デジタル放送信号として送信する送信部と
を備える送信装置。
（２）
前記特定の情報は、IP（Internet Protocol）パケットを伝送する伝送パケットのペイロードに配置されるL2シグナリング情報に含まれ、
前記伝送パケットは、前記物理層フレームの最初のBB（Baseband）フレームにおける最初の伝送パケットとして伝送される
（１）に記載の送信装置。
（３）
前記特定の情報は、IPパケットを伝送する伝送パケットの拡張ヘッダに配置されるL2シグナリング情報に含まれ、
前記伝送パケットは、前記物理層フレームの最初のBBフレームにおける最初の伝送パケットとして伝送される
（１）に記載の送信装置。
（４）
前記特定の情報は、BBフレームの拡張ヘッダに配置されるL1シグナリング情報に含まれ、
前記BBフレームは、前記物理層フレームの最初のBBフレームとして伝送される
（１）に記載の送信装置。
（５）
前記選局情報は、LLS（Low Layer Signaling）シグナリング情報であり、
前記時刻情報は、NTP（Network Time Protocol）である
（１）乃至（４）のいずれかに記載の送信装置。
（６）
送信装置の送信方法において、
前記送信装置が、
サービスの選局を行うための選局情報を取得し、
送信側と受信側で同期をとるための時刻情報を取得し、
プリアンブルとデータ部からなる物理層フレームとして、前記プリアンブルの直後であって前記データ部の先頭に、前記選局情報及び前記時刻情報のうちの少なくとも一方の情報を含む特定の情報を配置した前記物理層フレームを生成し、
前記物理層フレームを、デジタル放送信号として送信する
ステップを含む送信方法。
（７）
プリアンブルとデータ部からなる物理層フレームとして、前記プリアンブルの直後であって前記データ部の先頭に、サービスの選局を行うための選局情報、及び、送信側と受信側で同期をとるための時刻情報のうちの少なくとも一方の情報を含む特定の情報を配置した前記物理層フレームを含むデジタル放送信号を受信する受信部と、
前記物理層フレームを復調して、前記プリアンブルの直後であって前記データ部の先頭に配置された前記選局情報及び前記時刻情報のうちの少なくとも一方の情報を含む前記特定の情報を取得する復調部と、
前記特定の情報に基づいて、所定の処理を行う処理部と
を備える受信装置。
（８）
前記特定の情報は、IPパケットを伝送する伝送パケットのペイロードに配置されるL2シグナリング情報に含まれ、
前記伝送パケットは、前記物理層フレームの最初のBBフレームにおける最初の伝送パケットとして伝送される
（７）に記載の受信装置。
（９）
前記特定の情報は、IPパケットを伝送する伝送パケットの拡張ヘッダに配置されるL2シグナリング情報に含まれ、
前記伝送パケットは、前記物理層フレームの最初のBBフレームにおける最初の伝送パケットとして伝送される
（７）に記載の受信装置。
（１０）
前記特定の情報は、BBフレームの拡張ヘッダに配置されるL1シグナリング情報に含まれ、
前記BBフレームは、前記物理層フレームの最初のBBフレームとして伝送される
（７）に記載の受信装置。
（１１）
前記処理部は、前記選局情報に基づいて、前記サービスの選局を行う
（７）乃至（１０）のいずれかに記載の受信装置。
（１２）
前記処理部は、前記時刻情報に基づいて、前記サービスを構成する映像と音声の同期をとる
（７）乃至（１１）のいずれかに記載の受信装置。
（１３）
前記選局情報は、LLSシグナリング情報であり、
前記時刻情報は、NTPである
（７）乃至（１２）のいずれかに記載の受信装置。
（１４）
受信装置の受信方法において、
前記受信装置が、
プリアンブルとデータ部からなる物理層フレームとして、前記プリアンブルの直後であって前記データ部の先頭に、サービスの選局を行うための選局情報、及び、送信側と受信側で同期をとるための時刻情報のうちの少なくとも一方の情報を含む特定の情報を配置した前記物理層フレームを含むデジタル放送信号を受信し、
前記物理層フレームを復調して、前記プリアンブルの直後であって前記データ部の先頭に配置された前記選局情報及び前記時刻情報のうちの少なくとも一方の情報を含む前記特定の情報を取得し、
前記特定の情報に基づいて、所定の処理を行う
ステップを含む受信方法。
【符号の説明】
【０１５９】
１  伝送システム，  １０  送信装置，  ２０  受信装置，  ３０  伝送路，  １１３  選局情報取得部，  １１５  時刻情報取得部，  １１９  物理層フレームスケジューラ，  １２０  物理層フレーム生成部，  １２１  送信部，  ２１２  チューナ，  ２１３  復調部，  ２１４  制御部，  ２１５  表示部，  ２１６  スピーカ，  ９００  コンピュータ，  ９０１  CPU
【図１】
2016098601.tif 000003
【図２】
2016098601.tif 000004
【図３】
2016098601.tif 000005
【図４】
2016098601.tif 000006
【図５】
2016098601.tif 000007
【図６】
2016098601.tif 000008
【図７】
2016098601.tif 000009
【図８】
2016098601.tif 000010
【図９】
2016098601.tif 000011
【図１０】
2016098601.tif 000012
【図１１】
2016098601.tif 000013
【図１２】
2016098601.tif 000014
【図１３】
2016098601.tif 000015
【図１４】
2016098601.tif 000016
【図１５】
2016098601.tif 000017
【図１６】
2016098601.tif 000018
【図１７】
2016098601.tif 000019
【図１８】
2016098601.tif 000020
【図１９】
2016098601.tif 000021
【図２０】
2016098601.tif 000022
【図２１】
2016098601.tif 000023
【図２２】
2016098601.tif 000024
【国際調査報告】
2016098601.tif 000025
2016098601.tif 000026
2016098601.tif 000027
2016098601.tif 000028